(57)【要約】本発明は、ボタン型ペンシル化粧品容器に関し、ピストンを上昇させる構造をコンパクトに製作し、容器本体の内部に内容物をさらに多く貯蔵できることはもちろん、内容物の吐出のために、ボタン方式を採択して片手でも簡便に内容物を吐出することができる。【選択図】図１
2018500951.tif 000002
【特許請求の範囲】
【請求項１】
内部には、内容物を貯蔵し、上側には、前記内容物を吐出する吐出孔（１１１）が形成される容器本体（１１０）と、
前記容器本体（１１０）の内部で昇降し、内容物を吐出孔（１１１）から吐出するピストン（２００）と、
前記ピストン（２００）の下面に結合し、その外周面には、第１ネジ山（３０１）が螺刻され、上側末端には平らに上下に切断された平面（３０２）が形成され、下側端部には係止部（３１０）を具備する第１回転部材（３００）と、
前記第１回転部材（３００）の前記第１ネジ山（３０１）が挟まれて螺合し、前記係止部（３１０）と当接する場合、第１回転部材（３００）の上方向の動きを制御する係止ネジ突起部（４１０）を具備し、その外周面には、第２ネジ山（４０１）が螺刻される第２回転部材（４００）と、
前記第２回転部材（４００）が挟まれて螺合し、前記第２ネジ山（４０１）と螺合する第３ネジ山（５０１）を具備する第３回転部材（５００）と、
前記第３回転部材（５００）に結合し、ボタン（６６０）の上下作動によって、前記第３回転部材（５００）を一方向に回転させる回転変換手段（６００）と、を含んで構成されたことを特徴とするボタン型ペンシル化粧品容器（１００）。
【請求項２】
前記回転変換手段（６００）は、
上側に前記第２回転部材（４００）が通過することができる通孔（６１１）が形成されており、内側には、前記第３回転部材（５００）が位置する回転変換部キャップ（６１０）と、
前記回転変換部キャップ（６１０）に設置された弾性部材（６２０）によって下方に弾性支持されるように設置され、前記第３回転部材（５００）にさらに形成された結合溝（５１０）に締結する結合突起（６３１）が形成され、その下面には一方向に傾いた傾斜面（６３２）と扁平部（６３４）が順次に繰り返し形成される回転作動部材（６３０）と、
前記回転作動部材（６３０）の下側に設置され、上側末端には両側傾斜面（６４１）が繰り返し形成され、その外周縁に沿って、前記両側傾斜面（６４１）の下方に回転防止突起（６４２）が延長し形成される上下作動部材（６４０）と、
前記回転変換部キャップ（６１０）の下側に締結し、前記回転変換部キャップ（６１０）と締結された状態で、その内部に、前記弾性部材（６２０）、前記回転作動部材（６３０）及び、前記上下作動部材（６４０）を収納し、その下側内周縁に沿って上端に一側傾斜突起部（６５３）が繰り返し形成され、それぞれの前記一側傾斜突起部（６５３）の下端には、それぞれの前記回転防止突起（６４２）が引き込まれてガイドする上下ガイド溝（６５１）が形成される上下ガイド（６５０）と、をさらに含んで構成されることを特徴とする、請求項１に記載の、ボタン型ペンシル化粧品容器（１００）。
【請求項３】
前記吐出孔（１１１）に結合し、上下に移動通路（１２１）が形成される吐出部材（１２０）と、
前記移動通路（１２１）に結合する塗布部材（１３０）と、をさらに含んで構成することを特徴とする、請求項２に記載の、ボタン型ペンシル化粧品容器（１００）。
【請求項４】
前記容器本体（１１０）を内蔵し、下側は前記ボタン（６６０）を露出するように開けられている外容器（７００）と、
前記外容器（７００）の上側に結合し、前記塗布部材（１３０）の下側を覆って固定する仕上げ部材（７１０）と、
前記外容器（７００）の上側に着脱可能に結合するカバーキャップ（７２０）と、をさらに含んで構成することを特徴とする、請求項３に記載の、ボタン型ペンシル化粧品容器（１００）。
【請求項５】
前記第２回転部材（４００）の下端には、第２回転部材（４００）が第３回転部材（５００）から離脱されることを防止するように具備する離脱防止部材（４２０）をさらに含むことを特徴とする、請求項４に記載の、ボタン型ペンシル化粧品容器（１００）。
【請求項６】
前記容器本体（１１０）の内壁の横断面の形状と、これに対応するピストン（２００）の横断面の形状は、楕円形または多角形のうちの一つを含む相互回転が不可能な形状に製作されるようにすることを特徴とする、請求項１ないし請求項５のうちのいずれか一項に記載の、ボタン型ペンシル化粧品容器（１００）。
【発明の詳細な説明】
【技術分野】
【０００１】
本発明は、ボタン型ペンシル化粧品容器に関し、内部には内容物を貯蔵し、上側には、前記内容物を吐出する吐出孔１１１が形成される容器本体１１０と、
前記容器本体１１０の内部で昇降し、内容物を吐出孔１１１から吐出するピストン２００と、
前記ピストン２００の下面に結合され、その外周面には、第１ネジ山３０１が螺刻され、上側末端には平らに上下に切断された平面３０２を形成し、下側端部には係止部３１０を具備する第１回転部材３００と、
前記第１回転部材３００の前記第１ネジ山３０１が挟まれて螺合し、前記係止部３１０と当接する場合、第１回転部材３００の上方向の動きを制御する係止ネジ突起部４１０を具備し、その外周面には、第２ネジ山４０１が螺刻される第２回転部材４００と、
前記第２回転部材４００が挟まれて螺合し、前記第２ネジ山４０１と螺合する第３ネジ山５０１を具備する第３回転部材５００と、
前記第３回転部材５００に結合し、ボタン６６０の上下作動によって、前記第３回転部材５００を一方向に回転させる回転変換手段６００と、を含んで構成することを特徴とするボタン型ペンシル化粧品容器１００に関する。
【背景技術】
【０００２】
一般的にペンシル型化粧品容器は、ハンドルを一側へ回転させ、容器の内部に貯蔵された内容物を吐出口から吐出して使用するもので、概して容器の内部に貯蔵された内容物は、液状である。
【０００３】
前記のような従来のペンシル型化粧品容器は、ネジ結合を利用したスクリュータイプが大部分を成し、ピストンを上昇させるスクリュータイプの場合、容器の下部に具備する。
【０００４】
これによって、ピストンを上昇させるスクリューの長さほど高さが確保されなければならないので、無駄なスペースを占めるようになって、容器の内部に大量の内容物を貯蔵することができない問題があった。
【０００５】
一方、内容物を吐出するためにハンドルを回転させるためには、一手では容器を取って固定し、他の手でハンドルを回転させなければならないので、両手を皆使わなければならないという不便さがあった。
【発明の概要】
【発明が解決しようとする課題】
【０００６】
本発明は、上述した問題点を解決するために、ピストンを上昇させる構造をコンパクトに製作し、容器本体の内部に内容物をさらに多く貯蔵することができるのはもちろん、内容物の吐出のためにボタン方式を採択し、片手でも簡便に内容物を吐出することができるボタン方式ペンシル型化粧品容器を提供する。
【課題を解決するための手段】
【０００７】
前記のような問題点を解決するために、本発明は、ボタン型ペンシル化粧品容器に関し、内部には内容物を貯蔵し、上側には、前記内容物を吐出する吐出孔１１１が形成される容器本体１１０と、
前記容器本体１１０の内部で昇降し、内容物を吐出孔１１１から吐出するピストン２００と、
前記ピストン２００の下面に結合され、その外周面には、第１ネジ山３０１が螺刻され、上側末端には平らに上下に切断された平面３０２を形成し、下側端部には係止部３１０を具備する第１回転部材３００と、
前記第１回転部材３００の前記第１ネジ山３０１が挟まれて螺合し、前記係止部３１０と当接する場合、第１回転部材３００の上方向の動きを制御する係止ネジ突起部４１０が具備され、その外周面には、第２ネジ山４０１が螺刻される第２回転部材４００と、
前記第２回転部材４００が挟まれて螺合し、第２ネジ山４０１と螺合する第３ネジ山５０１を具備する第３回転部材５００と、
前記第３回転部材５００に結合され、ボタン６６０の上下作動によって、前記第３回転部材５００を一方向に回転させる回転変換手段６００と、を含んで構成することを特徴とする。
【０００８】
また、前記回転変換手段６００は、上側に前記第２回転部材４００が通過することができる通孔６１１を形成しており、内側には、前記第３回転部材５００が位置する回転変換部キャップ６１０と、
前記回転変換部キャップ６１０に設置された弾性部材６２０によって、下方に弾性支持するように設置され、前記第３回転部材５００にさらに形成された結合溝５１０に締結する結合突起６３１が形成され、その下面には一方向に傾いた傾斜面６３２と扁平部６３４が順次に繰り返し形成される回転作動部材６３０と、
前記回転作動部材６３０の下側に設置し、上側末端に両側傾斜面６４１が繰り返し形成され、その外周縁に沿って、前記両側傾斜面６４１の下方へ回転防止突起６４２が延長し形成される上下作動部材６４０と、
前記回転変換部キャップ６１０の下側に締結し、前記回転変換部キャップ６１０と締結した状態で、その内部に、前記弾性部材６２０、前記回転作動部材６３０及び前記上下作動部材６４０を収納し、その下側内周縁に沿って、上端に一側傾斜突起部６５３が繰り返し形成され、それぞれの前記一側傾斜突起部６５３の下端には、それぞれの前記回転防止突起６４２を引き込んでガイドする上下ガイド溝６５１が形成される上下ガイド６５０と、をさらに含んで構成することを特徴とする。
【０００９】
また、前記吐出孔１１１に結合し、上下に移動通路１２１が形成される吐出部材１２０と、
前記移動通路１２１に結合する塗布部材１３０と、をさらに含んで構成することを特徴とする。
【００１０】
また、前記容器本体１１０を内蔵し、下側は前記ボタン６６０を露出することができるように開けられている外容器７００と、
前記外容器７００の上側に結合し、前記塗布部材１３０の下側を覆って固定する仕上げ部材７１０と、
前記外容器７００の上側に着脱可能に結合するカバーキャップ７２０と、をさらに含んで構成することを特徴とする。
【００１１】
また、前記第２回転部材４００の下端には、第２回転部材４００が第３回転部材５００から離脱されることを防止するように具備される離脱防止部材４２０をさらに含むことを特徴とする。
【００１２】
一方、前記容器本体１１０の内壁の横断面の形状と、これに対応するピストン２００の横断面の形状は、楕円形または多角形のうちの、一つを含む、相互回転が不可能な形状に製作することを特徴とする。
【発明の効果】
【００１３】
本発明による場合は、ピストンを上昇させる構造をコンパクトに製作し、容器本体の内部に内容物をさらに多く貯蔵することができるのはもちろん、内容物の吐出のためにボタン方式を採択して、片手でも簡便に内容物を吐出することができるという長所がある。
【図面の簡単な説明】
【００１４】
【図１】本発明の一実施例に係るボタン型ペンシル化粧品容器の全体外観斜視図である。
【図２】本発明の一実施例に係るボタン型ペンシル化粧品容器の分解斜視図である。
【図３】本発明の一実施例に係るボタン型ペンシル化粧品容器の下降時の断面図である。
【図４】本発明の一実施例に係るボタン型ペンシル化粧品容器の上昇時の断面図である。
【図５】本発明の一実施例に係るボタン型ペンシル化粧品容器の主要作動部の外観斜視図である。
【図６】（ａ），（ｂ），（ｃ），（ｄ）は、本発明の一実施例に係るボタン型ペンシル化粧品容器の主要作動部の作動模式図である。
【発明を実施するための形態】
【００１５】
以下では、添付された図面を参照し、本発明の一実施例に係るボタン型ペンシル化粧品容器を詳細に説明する。まず、図面中、同一の構成要素または部品は、可能な限り同一の参照符号で示していることに注意しなければならない。本発明を説明するにおいて、係わる公知機能あるいは構成についての具体的な説明は、本発明の要旨を曖昧でないように省略する。
【００１６】
本発明のボタン型ペンシル化粧品容器１００は、大きく、図１及び図２に示すように、容器本体１１０、ピストン２００、第１回転部材３００、第２回転部材４００、第３回転部材５００及び回転変換手段６００を含んで構成する。
【００１７】
まず、容器本体１１０について説明する。前記容器本体１１０は、図２及び図３に示すように内部に内容物が貯蔵され、上側には、前記内容物が吐出される吐出孔１１１が形成される構造を有する。
【００１８】
次に、ピストン２００について説明する。前記ピストン２００は、図２及び図３に示すように、前記容器本体１１０の内部で昇降して、内容物を吐出孔１１１から吐出する機能を有する。
【００１９】
次に、前記第１回転部材３００は、ピストン２００の下面に結合する部材として、このような第１回転部材３００は、図２に示すように、前記ピストン２００の下面に結合し、その外周面には、第１ネジ山３０１が螺刻され、上側末端に平らに上下に切断された平面３０２が形成され、下側端部には係止部３１０を具備するように形成される。
【００２０】
次に、第２回転部材４００について説明する。前記第２回転部材４００は、図２及び図３に示すように、第１回転部材３００の前記第１ネジ山３０１が挟まれて螺合し、前記係止部３１０と当接する場合、第１回転部材３００の上方向の動きを制御する係止ネジ突起部４１０を具備し、その外周面には、第２ネジ山４０１が螺刻される。
【００２１】
このような前記係止部３１０は、前記第２回転部材４００の上側端部に形成された前記係止ネジ突起部４１０によって、上側方向の動きを制御し、第１回転部材３００が第２回転部材４００から離脱することを防止する。
【００２２】
また、前記第１係止部３１０は、第１回転部材３００が上死点に到達した後、第２回転部材４００が上昇するように、これを牽引する役目をする。
【００２３】
一方、前記第２回転部材４００の下端には、図２に示すように、第２回転部材４００を第３回転部材５００から離脱することが防止されるように具備する離脱防止部材４２０をさらに含むようにすることが好ましい。
【００２４】
一方、前記ピストン２００は、前記容器本体１１０の内部で昇降動作のみして、回転動作は防止されるようにすることが好ましい。この場合、前記第１回転部材３００及び第２回転部材４００を介して、前記ピストン２００に伝達される回転力は、前記第１回転部材３００によって、前記ピストン２００が上昇／下降するように伝達される作動力に比べて非常に小さいので、前記第１回転部材３００または、前記第２回転部材４００が１回転する間の上昇距離は、前記第１ネジ山３０１または、前記第２ネジ山４０１のピッチになり、仕事の損失がないと仮定する場合、１回転作動する時に加えられるトルクは、前記上昇距離ほど上昇する間に加わる力に変換されるので、前記トルクによる回転力は、前記の上昇／下降するように伝達される作動力に比べて非常に小さい値を持つようになる。したがって、前記回転力は、前記ピストン２００が前記容器本体１１０の内壁に接触して受ける摩擦力より非常に小さいことに比べて、前記の上昇／下降するように伝達される作動力は、前記ピストン２００が前記容器本体１１０の内壁に接触して、受ける摩擦力より大きくなるので、前記ピストン２００が、前記容器本体１１０に対して回転しないように維持され、昇降動作をすることができる。
【００２５】
このような原理は、「前記回転力  ＜  前記ピストン２００が、前記容器本体１１０の内壁に接触して、受ける摩擦力  ＜  前記上昇／下降するように伝達される作動力」のように整理することができ、このような条件を満足させるように、前記ピストン２００の材質と形状を決定することが好ましい。
【００２６】
一方、別の実施例で、前記容器本体１１０の内壁の横断面の形状と、これに対応するピストン２００の横断面の形状を楕円形または、多角形のような回転が不可能な形状に製作されるようにすることでも、前記ピストン２００は、前記容器本体１１０の内部で昇降動作のみして、回転動作は防止されるようにする効果を達成することができる。
【００２７】
次に、第３回転部材５００について説明する。図２及び図３に示すように、第３回転部材５００の中に第２回転部材４００が螺嵌され、第３回転部材５００には、第２回転部材４００の第２ネジ山４０１と螺合される第３ネジ山５０１が螺刻されている。
【００２８】
次に、回転変換手段６００について説明する。前記回転変換手段６００は、図２及び図５に示すように、前記第３回転部材５００に結合され、ボタン６６０の上下動作によって、前記第３回転部材５００を一方向に回転させる機能を有するように構成される。
【００２９】
上記の機能を有する前記回転変換手段６００を具現する実施例では、非常に様々な実施例が可能であり、その一実施例では、前記回転変換手段６００は、図２、図５及び図６に示すように、回転変換部キャップ６１０、弾性部材６２０、回転作動部材６３０、上下作動部材６４０及び、上下ガイド６５０をさらに含んで構成することが好ましい。
【００３０】
この場合、回転変換部キャップ６１０は、図２及び図６に示すように、上側に前記第２回転部材４００が通過することができる通孔６１１が形成され、内側には前記第３回転部材５００が位置するように構成される。一方、前記上下ガイド６５０と、前記回転変換部キャップ６１０の簡便な締結のために、前記回転変換部キャップ６１０の下側には、図２に示すように締結突起６１２が形成されるようにし、前記上下ガイド６５０の上側には、前記締結突起６１２が挿入されて結合することができる締結溝６５２がさらに形成されるようにすることが好ましい。
【００３１】
前記回転作動部材６３０は、図２及び図５に示すように、前記回転変換部キャップ６１０に設置された弾性部材６２０によって、下方に弾性支持されるように設置され、前記第３回転部材５００にさらに形成された結合溝５１０に締結する結合突起６３１が形成され、その下面には、図２、図５及び図６に示すように一方向に傾いた傾斜面６３２と扁平部６３４が順次に繰り返し形成されるように構成される。
【００３２】
前記上下作動部材６４０は、図２及び図６に示すように、前記回転作動部材６３０の下側に設置され、上側末端には両側傾斜面６４１が繰り返し形成され、その外周縁に沿って、前記両側傾斜面６４１の下方に回転防止突起６４２が延長し形成されるように構成される。
【００３３】
前記上下ガイド６５０は、図２及び図６に示す構成に加えて、図５で内側の構成要素と一緒に表現するために、点線で表現した構成と同様に、前記回転変換部キャップ６１０の下側に締結され、前記回転変換部キャップ６１０と締結された状態で、その内部に、前記弾性部材６２０、前記回転作動部材６３０及び前記上下作動部材６４０を収納し、その下側内周縁に沿って上端に一側傾斜突起部６５３が繰り返し形成され、それぞれの前記一側傾斜突起部６５３の下端には、それぞれの前記回転防止突起６４２が引き込まれてガイドする上下ガイド溝６５１が形成されるように構成する。
【００３４】
上記した構成の前記回転変換手段６００の動作を、図６を参照して説明すると、次の様である。
【００３５】
まず、図６の（ａ）に示すように、初期状態では、前記回転作動部材６３０は、前記弾性部材６２０によって下側方向に弾性支持され、下降状態で前記傾斜面６３２の大部分が、前記一側傾斜突起部６５３と接触した状態にあり、前記ボタン６６０と連結された前記回転防止突起６４２は、下降された状態で、前記上下ガイド溝６５１内に位置する。
【００３６】
この状態で、前記ボタン６６０を押すと、これによって前記上下作動部材６４０が、図６で（ｂ）に示すように上昇し始める。この場合、前記傾斜面６３２に連接した垂直側面６３２ａと、前記一側傾斜突起部６５３に連接した垂直側面６５３ａが互いに接触して側面方向への回転動作を邪魔するので、前記回転防止突起６４２の前記両側傾斜面６４１の上側先端が、前記傾斜面６３２を押し上げ、前記回転作動部材６３０は、前記上下作動部材６４０と一緒に上昇する。
【００３７】
その後、前記ボタン６６０を最後まで押すと、図６で（ｃ）に示すように、前記両側傾斜面６４１と、前記一側傾斜突起部６５３が互いに接続される。この時、前記弾性部材６２０によって下側方向に弾性支持される前記回転作動部材６３０は、前記弾性部材６２０の弾性力によって、その前記傾斜面６３２が連結された前記両側傾斜面６４１と、前記一側傾斜突起部６５３に乗って下り、回転し下降するようになる。
【００３８】
最後に、前記ボタン６６０が元の位置に下降して復帰した後にも、図６で（ｄ）に示すように、前記回転作動部材６３０は引き続き、前記弾性部材６２０の弾性力によって、その前記傾斜面６３２が連結された前記両側傾斜面６４１と、前記一側傾斜突起部６５３に乗って下り、回転し下降して、初期状態に戻って動作の一周期を遂行する。
【００３９】
一方、このような前記回転作動部材６３０の上昇／下降及び、これによる回転動作は、前記第３回転部材５００にさらに形成された結合溝５１０に締結する結合突起６３１を介して、その回転動作のみ、前記第３回転部材５００に伝達され、これを介して全体的に前記ボタン６６０を押す動作が、前記第３回転部材５００の回転動作に変換される。したがって、内容物の吐出のためにボタン方式を採択して、片手でも簡便に内容物を吐出することができるという長所がある。
【００４０】
また、本発明のボタン型ペンシル化粧品容器１００は、使用の便宜のためにも、図２に示すように、前記吐出孔１１１に結合され、上下に移動通路１２１が形成される吐出部材１２０と、前記移動通路１２１に結合される塗布部材１３０をさらに含んで構成することが好ましい。
【００４１】
一方、本発明のボタン型ペンシル化粧品容器１００は、使用の便宜のために図１及び図２に示すように、前記容器本体１１０を内蔵しており、下側は前記ボタン６６０を露出するように開けられている外容器７００と、前記外容器７００の上側に結合され、前記塗布部材１３０の下側を覆って固定する仕上げ部材７１０と、前記外容器７００の上側に着脱可能に結合されるカバーキャップ７２０をさらに含んで構成することもできる。この場合、前記外容器７００と前記カバーキャップ７２０は、その断面が円形、三角形、四角形など、さまざまなデザインで実施することができる。
【００４２】
上述したような本発明のボタン型ペンシル化粧品容器１００は、図３及び図４に示すように、第１回転部材３００と第２回転部材４００が順次に上昇することができる構成を介して、ピストンを上昇させる構造をコンパクトに製作し、容器本体の内部に内容物をさらに多く貯蔵することができる長所を有する。
【００４３】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。したがって、当該技術分野の通常の知識を有する者であれば、多様な変形及び均等な他の実施例が可能であることを理解すべきである。また、本発明の真の技術的保護範囲は、添付された特許請求の範囲の技術的思想によって定められる。
【図１】
2018500951.tif 000003
【図２】
2018500951.tif 000004
【図３】
2018500951.tif 000005
【図４】
2018500951.tif 000006
【図５】
2018500951.tif 000007
【図６（ａ）】
2018500951.tif 000008
【図６（ｂ）】
2018500951.tif 000009
【図６（ｃ）】
2018500951.tif 000010
【図６（ｄ）】
2018500951.tif 000011
【国際調査報告】
2018500951.tif 000012
2018500951.tif 000013
2018500951.tif 000014
2018500951.tif 000015